(57)【要約】【課題】シートバックとシートクッションとを互いに位置決めさせて連結する。【解決手段】シートバックＢの下側部より下方に突出したサイドブラケット１とシートクッションＣの後側部より上方に突出したサイドブラケット２とを止め具３で接続することによりシートバックＢとシートクッションＣとが互いに連結されてなる自動車用シートにおいて、シートバックＢとシートクッションＣの連結に際してシートバックＢのサイドブラケット１とシートクッションＣのサイドブラケット２とを相互に位置決めさせることのできる位置決め機構６，７を設けた。【選択図】図２
2005119445.tif 000002
【特許請求の範囲】
【請求項１】
シートバックの下側部より下方に突出したサイドブラケットとシートクッションの後側部より上方に突出したサイドブラケットとを止め具で接続することによりシートバックとシートクッションとが互いに連結されてなる自動車用シートにおいて、シートバックとシートクッションの連結に際してシートバックのサイドブラケットとシートクッションのサイドブラケットとを相互に位置決めさせることのできる位置決め機構を備えたことを特徴とする自動車用シート。
【請求項２】
前記位置決め機構が、シートクッションのサイドブラケットから伸びた棒状の係止金具と、シートバックのサイドブラケットに形成された係止金具受け止め部とにより構成され、係止金具を受け止め部に係止させることにより、シートバックのサイドブラケットとシートクッションのサイドブラケットとを互いに位置決めさせることができるようにしたことを特徴とする、請求項１に記載の自動車用シート。
【請求項３】
前記係止金具が、シートクッションのサイドブラケットの裏面側から表面側へ伸びて略Ｕ字状に形成されていることを特徴とする、請求項２に記載の自動車用シート。
【発明の詳細な説明】
【技術分野】
【０００１】
本発明は、シートバックとシートクッションとを互いに位置決めさせて連結させることの可能な自動車用シートに関するものである。
【背景技術】
【０００２】
一般に、自動車用シートは、シートバックのサイドブラケットとシートクッションのサイドブラケットとを止め具で連結することにより、互いに接続されたシートバックとシートクッションとにより構成されている。
【０００３】
これらサイドブラケットには夫々締め付けボルト，締め付けピン等の止め具を挿通させるための複数の止め穴が形成されている。ところで、シートクッション及びシートバックは重量があるため、これら止め穴を互いに整合させて止め具でシートクッションとシートバックとを連結させるには極めて煩雑な作業が余儀なくされている。
【発明の開示】
【発明が解決しようとする課題】
【０００４】
本発明が解決しようとする課題は、シートバックとシートクッションとを互いに位置決めさせて連結することにある。
【課題を解決するための手段】
【０００５】
本発明は、シートバックの下側部より突出したサイドブラケットとシートクッションの後側部より突出したサイドブラケットとを止め具で接続することによりシートバックとシートクッションとが互いに連結されてなる自動車用シートにおいて、シートバックとシートクッションの連結に際してシートバックのサイドブラケットとシートクッションのサイドブラケットとを相互に位置決めさせることのできる位置決め機構を備えたことを特徴とする。
【発明の効果】
【０００６】
本発明に係る自動車用シートは、シートバックのサイドブラケットとシートクッションのサイドブラケットとを相互に位置決めさせるのに役立つ位置決め機構を備えているため、極めて簡単且つ正確にシートバックとシートクッションとを連結させることができる。
【０００７】
また、本発明は、前記位置決め機構を、シートクッションのサイドブラケットから伸びた棒状の係止金具と、シートバックのサイドブラケットに形成された係止金具受け止め部とにより構成し、係止金具を受け止め部に係止させることにより、シートバックのサイドブラケットとシートクッションのサイドブラケットとを互いに位置決めさせることができるようにしたことを特徴とする。これにより、位置決め機構を極めて簡単且つ安価に構成することができる。
【０００８】
更に、本発明は、前記係止金具をシートクッションのサイドブラケットの裏面側から表面側へ伸ばして略Ｕ字状に形成したことを特徴とする。これにより、略Ｕ字状の係止金具の上側部とシートクッションのサイドブラケットの板面との間にシートバックのブラケットの一部を差込みつつ位置決め作業を行うことができるので、位置決め作業をより簡単に行うことができる。
【発明を実施するための最良の形態】
【０００９】
図示実施の形態は、リクライニング式自動車用シートとして構成されている。図１は同シートの側面図であり、図２は同シートの縦断面図である。各図中、参照符号Ｂ，Ｃ，１，２はシートバック、シートクッション、シートバックの下側部より下方に突出したサイドブラケット、シートクッションの後側部より上方に突出したサイドブラケットを夫々示す。
【００１０】
シートバックＢの下側部より下方に突出したサイドブラケット１は、互いに間隔を置いて対向配置された第一のサイドブラケット部１ａと第二のサイドブラケット部１ｂとを有し、それら第一サイドブラケット部１ａと第二サイドブラケット部１ｂとの間には、作動軸Ｒ１が第一及び第二サイドブラケット部１ａ，１ｂを貫通した状態のリクライニング機構Ｒが配置されている。
【００１１】
第一サイドブラケット部１ａは、シートバックＢのシートバックフレーム（図示せず）に連結されていて、後述する如くシートクッションＣのサイドブラケット２に接続される第二サイドブラケット部１ｂに対して回転自在となっており、これによりシートバックＢはリクライニング可能となっている。第二サイドブラケット部１ｂは、第一サイドブラケット１ａよりは長く下方に伸びていて、その下部板面には、締め付けボルト，締め付けピン等の止め具３が挿通される複数の止め穴４が形成されている。
【００１２】
シートクッションＣの後側部より上方に突出しているサイドブラケット２の板面にも、止め具３が挿通される複数の止め穴５が形成されている。
【００１３】
この自動車用シートは、シートバックＢとシートクッションＣとを連結する際にシートバックの第二サイドブラケット部１ｂとシートクッションのサイドブラケット２とを相互に位置決めさせるのに役立つ位置決め機構を備えている。
【００１４】
この位置決め機構は、シートクッションＣのサイドブラケット２の裏面側より表面側方向へ伸びて略Ｕ字状に折曲形成された棒状の係止金具６と、シートバックの第二サイドブラケット部１ｂに設けられた係止金具受け止め部７とを有している。
【００１５】
第二サイドブラケット部１ｂの縁部の一部に沿って起立部１ｂ’が形成され、その起立部１ｂ’の下端部より第二サイドブラケット部１ｂの板面方向に延びて形成された切欠き部にて係止金具受け止め部７が構成されている。
【００１６】
係止金具６と係止金具受け止め部７は、シートバックＢとシートクッションＣとを連結するべく、シートバックＢの第二サイドブラケット部１ｂをシートクッションＣのサイドブラケット２上に重ね合わせて、係止金具６を係止金具受け止め部７に係合させた時に、第二サイドブラケット部１ｂの止め穴４とサイドブラケット２の止め穴５とが互いに整合することを可能にする位置に設けられている。
【００１７】
上述した如く、係止金具６は、シートクッションＣのサイドブラケット２の裏面側より表面側方向へ伸びて略Ｕ字状に折曲形成されているので、シートバックＢの第二サイドブラケット１ｂの一部をシートクッションＣのサイドブラケット２の板面と係止金具６の上側部との間に差込みつつ位置決め作業を行うことができる。この位置決めにより第二サイドブラケット部１ｂの止め穴４とサイドブラケット２の止め穴５とが互いに整合した状態で、止め具３を互いに整合した止め穴４，５内に挿通することにより、シートバックＢとシートクッションＣとを連結することができる。
【００１８】
尚、各図中、参照符号８は、リクライニング機構Ｒのロック機構（図示せず）が解除された時に、シートバックＢをシートクッションＣに対して自動的に回転させるようシートバックＢを付勢している渦巻きバネを示す。この渦巻きバネ８はシートバックＢの第一サイドブラケット部１ａと第二サイドブラケット部１ｂとの間に張設されている。また、参照符号９は、シートバックＢの第二サイドブラケット部１ｂに固定されたシートベルトを示す。
【００１９】
このように構成された本発明に係る自動車用シートにおいては、シートバックＢとシートクッションＣとを連結する際に、シートバックＢの第二サイドブラケット部１ｂに設けた止め穴４とシートクッションＣのサイドブラケット２に形成した止め穴５とを整合させるようシートバックＢとシートクッションＣとを位置決めさせることの可能な機構を有しているので、シートバックＢとシートクッションＣとを極めて簡単且つ正確に連結させることができる。
【図面の簡単な説明】
【００２０】
【図１】本発明に係る自動車用シートの側面図である。
【図２】図１の自動車用シートの縦断面図である。
【符号の説明】
【００２１】
Ｂ            シートバック
Ｃ            シートクッション
１ａ          シートバックの第一サイドブラケット部
１ｂ          シートバックの第二サイドブラケット部
２            シートクッションのサイドブラケット
３            止め具
４            第二サイドブラケット部に形成された止め穴
５            シートクッションのサイドブラケットに形成された止め穴
６            位置決め機構の係止金具
７            位置決め機構の係止金具受け止め部
【図１】
2005119445.tif 000003
【図２】
2005119445.tif 000004